(57)【要約】【課題】ユーザが次に観賞を欲する画像の圧縮画像を予め選択して、選択された圧縮画像に対応する原画像を表示する。【解決手段】本発明に係る表示装置は、原画像を格納する原画像格納部と、原画像格納部が格納している原画像を不可逆圧縮する画像圧縮部と、原画像格納部が格納している原画像に対応づけて、画像圧縮部が圧縮した圧縮画像を格納する圧縮画像格納部と、原画像格納部が格納している原画像を表示する原画像表示部と、原画像表示部が表示している原画像に対応づけられて圧縮画像格納部が格納している圧縮画像とは異なる圧縮画像を表示する圧縮画像表示部と、圧縮画像表示部が表示している圧縮画像を閲覧しているユーザに、原画像表示部が次に表示する原画像を選択させる操作部とを備える。【選択図】図２
2007052191.tif 000002
【特許請求の範囲】
【請求項１】
原画像を格納する原画像格納部と、
前記原画像格納部が格納している原画像を不可逆圧縮する画像圧縮部と、
前記原画像格納部が格納している原画像に対応づけて、前記画像圧縮部が圧縮した圧縮画像を格納する圧縮画像格納部と、
前記原画像格納部が格納している原画像を表示する原画像表示部と、
前記原画像表示部が表示している原画像に対応づけられて前記圧縮画像格納部が格納している圧縮画像とは異なる圧縮画像を表示する圧縮画像表示部と、
前記圧縮画像表示部が表示している圧縮画像を閲覧しているユーザに、前記原画像表示部が次に表示する原画像を選択させる操作部と
を備える表示装置。
【請求項２】
前記原画像格納部は、チャプターに対応づけて原動画像を格納し、
前記画像圧縮部は、前記原画像格納部が格納している原動画像を不可逆圧縮し、
前記圧縮画像格納部は、前記原画像格納部が格納している原動画像に対応づけて、前記画像圧縮部が圧縮した圧縮動画像を格納し、
前記原画像表示部は、前記原画像格納部が格納している原動画像を表示し、
前記圧縮画像表示部は、前記原画像表示部が表示しているチャプターの次のチャプターの原動画像に対応づけられて前記圧縮画像格納部が格納している圧縮動画像とは異なる圧縮動画像を表示し、
前記操作部は、前記圧縮画像表示部が表示している圧縮動画像を閲覧しているユーザに、前記原画像表示部が表示しているチャプターの次のチャプターの原動画像を、次に前記原画像表示部に表示させるか否かを選択させる
請求項１に記載の表示装置。
【請求項３】
前記操作部は、前記圧縮画像表示部および前記圧縮画像格納部と共に、前記原画像格納部および前記原画像表示部から着脱自在であり、無線通信により、ユーザに選択された原画像を示す情報を前記原画像表示部に送信する
請求項１に記載の表示装置。
【請求項４】
前記圧縮画像格納部は、同一の容量を読み出すために必要な消費電力が前記原画像格納部よりも小さい請求項２に記載の表示装置。
【請求項５】
前記原画像格納部、前記画像圧縮部、前記圧縮画像格納部、前記原画像表示部、前記圧縮画像表示部、および前記操作部に動作電力を供給するバッテリを更に備える
請求項２に記載の表示装置。
【請求項６】
前記原画像格納部はハードディスクドライブであり、
前記圧縮画像格納部は半導体メモリである
請求項５に記載の表示装置。
【請求項７】
前記圧縮画像格納部は、原画像をいったん保存し、その後に、複数の前記原画像をまとめて前記原画像格納部に移動する
請求項２に記載の表示装置。
【請求項８】
前記圧縮画像格納部の空き容量が、予め定められた基準値を下回った場合に、複数の原画像をまとめて前記原画像格納部に移動する
請求項７に記載の表示装置。
【請求項９】
外部から電力が供給されているときに、前記原画像を前記圧縮画像格納部から前記原画像格納部に移動し、前記圧縮画像のみを前記圧縮画像格納部に保持する
請求項７に記載の表示装置。
【請求項１０】
前記原画像表示部の表示エリアと前記圧縮画像表示部の表示エリアとは、隣接して設けられ、
前記原画像格納部が格納している原画像を前記原画像表示部の表示エリアに表示させ、前記圧縮画像格納部が格納している圧縮画像を前記圧縮画像表示部の表示エリアに表示させる第１表示モードと、前記原画像格納部が格納している原画像を前記原画像表示部の表示エリアと前記圧縮画像表示部の表示エリアとに跨って表示させる第２表示モードとを切り替えて、前記原画像表示部および前記圧縮画像表示部を動作させる表示制御部
を更に備える請求項１に記載の表示装置。
【請求項１１】
原画像格納部が格納している原画像を不可逆圧縮する画像圧縮段階と、
前記原画像格納部が格納している原画像に対応づけて、画像圧縮部が圧縮した圧縮画像を圧縮画像格納部に格納する圧縮画像格納段階と、
前記原画像格納部が格納している原画像を原画像表示部に表示する原画像表示段階と、
前記原画像表示部が表示している原画像に対応づけられて前記圧縮画像格納部が格納している圧縮画像とは異なる圧縮画像を圧縮画像表示部に表示する圧縮画像表示段階と、
前記圧縮画像表示部が表示している圧縮画像を閲覧しているユーザに、前記原画像表示部が次に表示する原画像を選択させる操作段階と
を備える表示方法。
【請求項１２】
画像を表示する表示装置用の表示プログラムであって、前記表示装置を
原画像を格納する原画像格納部と、
前記原画像格納部が格納している原画像を不可逆圧縮する画像圧縮部と、
前記原画像格納部が格納している原画像に対応づけて、前記画像圧縮部が圧縮した圧縮画像を格納する圧縮画像格納部と、
前記原画像格納部が格納している原画像を表示する原画像表示部と、
前記原画像表示部が表示している原画像に対応づけられて前記圧縮画像格納部が格納している圧縮画像とは異なる圧縮画像を表示する圧縮画像表示部と、
前記圧縮画像表示部が表示している圧縮画像を閲覧しているユーザに、前記原画像表示部が次に表示する原画像を選択させる操作部
として機能させる表示プログラム。
【発明の詳細な説明】
【技術分野】
【０００１】
本発明は、表示装置、表示方法、および表示プログラムに関する。特に、本発明は、表示装置、表示方法、および表示プログラムに関する。
【背景技術】
【０００２】
画像撮像時のファインダとしての機能を有する第１の表示手段と、撮像画像を再生する際のモニタとしての機能を有すると共に、カメラ本体との着脱をできるようにした第２の表示手段（外部表示モニタ）とを備え、第１の表示手段の表示内容と、外部表示モニタの表示内容とを異ならせる。そして、第１の表示手段と外部表示モニタに表示された２枚の撮像画像を比較して見栄えのよい撮像画像を選択する、又は、撮像画像に対する補正処理の効果の確認を容易にする電子カメラについて提案されている（例えば、特許文献１参照。）。また、複数のストリームを再生する場合において、現在再生されているストリームの後端部の画像と略一致しているストリームを選択して再生する画像再生方法が提案されている（例えば、特許文献２参照。）。
【特許文献１】特開平１１−２６６３８１号公報
【特許文献２】特開２０００−１３７７５号公報
【発明の開示】
【発明が解決しようとする課題】
【０００３】
しかしながら、特許文献１に記載の発明においては、電子カメラが備える第１の表示手段と外部表示モニタの双方において撮像画像を確認できるが、ユーザは、より大きな画面で撮像画像を確認したい場合がある。また、電子カメラから撮像画像を、当該電子カメラ以外の記憶媒体等に移動させた後は、電子カメラにおいて、ユーザは、ユーザによって既に撮像された画像を確認することができない。また、特許文献２に記載の発明においては、現在再生されているストリームの後端部の画像と略一致するストリームだけしか選択できないので、ユーザにとって観賞を所望する動画選択の自由度が狭い場合がある。
【０００４】
そこで本発明は、上記課題を解決することができる表示装置、表示方法、および表示プログラムを提供することを目的とする。この目的は特許請求の範囲における独立項に記載の特徴の組み合わせにより達成される。また従属項は本発明の更なる有利な具体例を規定する。
【課題を解決するための手段】
【０００５】
上記課題を解決するために、本発明の第１の形態においては、表示装置であって、原画像を格納する原画像格納部と、原画像格納部が格納している原画像を不可逆圧縮する画像圧縮部と、原画像格納部が格納している原画像に対応づけて、画像圧縮部が圧縮した圧縮画像を格納する圧縮画像格納部と、原画像格納部が格納している原画像を表示する原画像表示部と、原画像表示部が表示している原画像に対応づけられて圧縮画像格納部が格納している圧縮画像とは異なる圧縮画像を表示する圧縮画像表示部と、圧縮画像表示部が表示している圧縮画像を閲覧しているユーザに、原画像表示部が次に表示する原画像を選択させる操作部とを備える。
【０００６】
また、原画像格納部は、チャプターに対応づけて原動画像を格納し、画像圧縮部は、原画像格納部が格納している原動画像を不可逆圧縮し、圧縮画像格納部は、原画像格納部が格納している原動画像に対応づけて、画像圧縮部が圧縮した圧縮動画像を格納し、原画像表示部は、原画像格納部が格納している原動画像を表示し、圧縮画像表示部は、原画像表示部が表示しているチャプターの次のチャプターの原動画像に対応づけられて圧縮画像格納部が格納している圧縮動画像とは異なる圧縮動画像を表示し、操作部は、圧縮画像表示部が表示している圧縮動画像を閲覧しているユーザに、原画像表示部が表示しているチャプターの次のチャプターの原動画像を、次に原画像表示部に表示させるか否かを選択させてもよい。
【０００７】
更に、操作部は、圧縮画像表示部および圧縮画像格納部と共に、原画像格納部および原画像表示部から着脱自在であり、無線通信により、ユーザに選択された原画像を示す情報を原画像表示部に送信してもよい。また、圧縮画像格納部は、同一の容量を読み出すために必要な消費電力が原画像格納部よりも小さくてもよい。そして、原画像格納部、画像圧縮部、圧縮画像格納部、原画像表示部、圧縮画像表示部、および操作部に動作電力を供給するバッテリを更に備えてもよい。また、原画像格納部はハードディスクドライブであり、圧縮画像格納部は半導体メモリであってよい。
【０００８】
また、圧縮画像格納部は、原画像をいったん保存し、その後に、複数の原画像をまとめて原画像格納部に移動してもよく、圧縮画像格納部の空き容量が、予め定められた基準値を下回った場合に、複数の原画像をまとめて原画像格納部に移動してもよい。更に、外部から電力が供給されているときに、原画像を圧縮画像格納部から原画像格納部に移動し、圧縮画像のみを圧縮画像格納部に保持してもよい。
【０００９】
そして、原画像表示部の表示エリアと圧縮画像表示部の表示エリアとは、隣接して設けられ、原画像格納部が格納している原画像を原画像表示部の表示エリアに表示させ、圧縮画像格納部が格納している圧縮画像を圧縮画像表示部の表示エリアに表示させる第１表示モードと、原画像格納部が格納している原画像を原画像表示部の表示エリアと圧縮画像表示部の表示エリアとに跨って表示させる第２表示モードとを切り替えて、原画像表示部および圧縮画像表示部を動作させる表示制御部を更に備えてもよい。
【００１０】
また、本発明の第２の形態においては、画像を表示する表示方法であって、原画像格納部が格納している原画像を不可逆圧縮する画像圧縮段階と、原画像格納部が格納している原画像に対応づけて、画像圧縮部が圧縮した圧縮画像を圧縮画像格納部に格納する圧縮画像格納段階と、原画像格納部が格納している原画像を原画像表示部に表示する原画像表示段階と、原画像表示部が表示している原画像に対応づけられて圧縮画像格納部が格納している圧縮画像とは異なる圧縮画像を圧縮画像表示部に表示する圧縮画像表示段階と、圧縮画像表示部が表示している圧縮画像を閲覧しているユーザに、原画像表示部が次に表示する原画像を選択させる操作段階とを備える。
【００１１】
また、本発明の第３の形態においては、画像を表示する表示装置用の表示プログラムであって、表示装置を原画像を格納する原画像格納部と、原画像格納部が格納している原画像を不可逆圧縮する画像圧縮部と、原画像格納部が格納している原画像に対応づけて、画像圧縮部が圧縮した圧縮画像を格納する圧縮画像格納部と、原画像格納部が格納している原画像を表示する原画像表示部と、原画像表示部が表示している原画像に対応づけられて圧縮画像格納部が格納している圧縮画像とは異なる圧縮画像を表示する圧縮画像表示部と、圧縮画像表示部が表示している圧縮画像を閲覧しているユーザに、原画像表示部が次に表示する原画像を選択させる操作部として機能させる。
【００１２】
なお、上記の発明の概要は、本発明の必要な特徴の全てを列挙したものではなく、これらの特徴群のサブコンビネーションもまた、発明となりうる。
【発明の効果】
【００１３】
本発明によれば、ユーザが次に観賞を欲する画像の圧縮画像を予め選択することにより、選択された圧縮画像に対応する原画像を表示することができる。
【発明を実施するための最良の形態】
【００１４】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１５】
図１は、本発明の一実施形態に係る表示装置１０の概要を示す。表示装置１０は、原画像表示ユニット２０および圧縮画像表示ユニット３０を備える。原画像表示ユニット２０は、原画像表示部２２０を有する。また、圧縮画像表示ユニット３０は、圧縮画像表示部３１０および操作部３２０を有する。本実施形態に係る表示装置１０は、ユーザが次に観賞を欲する画像の圧縮画像を予め選択することにより、選択された圧縮画像に対応する原画像を表示することを目的とする。
【００１６】
表示装置１０は、デジタルカメラ等の撮像装置において撮像された静止画像および動画像を格納する。そして、表示装置１０は、原画像を原画像表示ユニット２０が有する原画像表示部２２０に表示する。また、表示装置１０は、原画像を圧縮処理した圧縮画像を生成して、圧縮画像表示ユニット３０は生成された圧縮画像を格納する。そして、圧縮画像表示ユニット３０は、圧縮画像表示ユニット３０に格納された圧縮画像を、圧縮画像表示部３１０に表示する。
【００１７】
ここで、表示装置１０において原画像表示ユニット２０と圧縮画像表示ユニット３０とは機械的に着脱自在に構成されている。ユーザ９００は、圧縮画像表示ユニット３０が有する操作部３２０を操作する。そして、ユーザ９００は、原画像に対応づけて圧縮画像表示ユニット３０に格納されている圧縮画像を圧縮画像表示部３１０で参照する。続いて、ユーザ９００は、ユーザ９００が原画像表示ユニット２０に表示させたい原画像に対応する圧縮画像を、操作部３２０を操作して、圧縮画像表示部３１０から選択する。ユーザ９００が圧縮画像を選択すると、圧縮画像表示ユニット３０から、当該圧縮画像に対応する原画像を示す情報が原画像表示ユニット２０に無線通信により送信される。原画像表示ユニット２０は、圧縮画像表示ユニット３０から受け取った情報に基づいて原画像を原画像表示部２２０に表示する。これにより、ユーザ９１０は、ユーザ９００によって選択された原画像を、原画像表示部２２０において観賞できる。
【００１８】
本実施形態に係る表示装置１０によれば、原画像表示部２２０に表示させたい原画像に対応する圧縮画像を予め選択して、選択された圧縮画像に対応する原画像を表示できる。これにより、ユーザ９００は、原画像表示部２２０に表示する原画像を自由に選択することができるので、ユーザ９１０に観賞させたい原画像だけを選択して表示できる。
【００１９】
図２は、本実施形態に係る表示装置１０の機能構成の一例を示す。表示装置１０は、原画像表示ユニット２０、圧縮画像表示ユニット３０、第１バッテリ４０、および第２バッテリ４２を備える。原画像表示ユニット２０は、原画像格納部２００、画像圧縮部２１０、原画像表示部２２０、表示制御部２３０、入力インターフェイス２４０、および出力インターフェイス２４２を有する。そして、圧縮画像表示ユニット３０は、圧縮画像格納部３００、圧縮画像表示部３１０、および操作部３２０を有する。なお、画像圧縮部２１０および表示制御部２３０は、圧縮画像表示ユニット３０が有していてもよい。更に、原画像表示ユニット２０と圧縮画像表示ユニット３０とは、機械的に着脱自在に設けられている。
【００２０】
入力インターフェイス２４０は、表示装置１０の外部から原画像および原動画像を受け取る。なお、圧縮処理をされていない静止画像は原画像の一例である。また、圧縮処理をされていない動画像は原動画像の一例である。例えば、入力インターフェイス２４０は、撮像装置から原画像および原動画像を受け取ってよい。また、表示装置１０は、画像を撮像する撮像部を有していてもよく、係る場合においては、入力インターフェイス２４０は撮像部から原画像および原動画像を受け取ってよい。更に、入力インターフェイス２４０はインターネット等のネットワークおよびメモリ等を介して、原画像および原動画像を受け取ってもよい。入力インターフェイス２４０は原画像および原動画像を、原画像格納部２００または圧縮画像格納部３００に供給する。
【００２１】
原画像格納部２００は、原画像を格納する。原画像格納部２００は、磁気記録媒体等を用いたハードディスクドライブであってよい。原画像格納部２００は、原画像が静止画である場合には、原画像を一意に識別できる原画像識別子と原画像とを対応づけて、原画像を格納する。また、原画像格納部２００は、原画像が動画である場合には、チャプターに対応づけて動画を格納する。原画像格納部２００は、原画像および原動画像を、画像圧縮部２１０、表示制御部２３０、および出力インターフェイス２４２に供給する。
【００２２】
画像圧縮部２１０は、原画像格納部２００が格納している原画像を不可逆圧縮する。また、画像圧縮部２１０は、原画像格納部２００が格納している原動画像を不可逆圧縮する。例えば、画像圧縮部２１０は、静止画像を不可逆圧縮する場合にはＪＰＥＧ等の画像圧縮方式を用いて撮像画像を圧縮してよい。また、画像圧縮部２１０は、動画像を不可逆圧縮する場合にはＭＰＥＧ等の画像圧縮方式を用いて撮像画像を圧縮してよい。更に、画像圧縮部２１０は、不可逆圧縮の手段として、画像のサイズまたは解像度を縮小してもよい。
【００２３】
また原画像格納部２００に保存される原画像および原動画像は圧縮されていてもよい。この場合、画像圧縮部２１０は、不可逆圧縮の手段として、原画像および原動画像を更に高い圧縮率で圧縮してもよい。より好ましくは、画像圧縮部２１０は、例えば原画像を領域毎に周波数変換して保存する場合において、保存をする周波数成分の成分数、または周波数成分のレベルを表すビット数を減じることによって、原画像の圧縮率を高めてもよい。画像圧縮部２１０は、圧縮画像および圧縮動画像を圧縮画像格納部３００に供給する。なお、画像圧縮部２１０は圧縮画像表示ユニット３０が有していてもよい。
【００２４】
圧縮画像格納部３００は、原画像格納部２００が格納している原画像に対応づけて、画像圧縮部２１０が圧縮した圧縮画像を格納する。また、圧縮画像格納部３００は、原画像格納部２００が格納している原動画像に対応づけて、画像圧縮部２１０が圧縮した圧縮動画像を格納する。具体的には、圧縮画像格納部３００は、圧縮画像および圧縮動画像を、圧縮画像および圧縮動画像を一意に識別できる識別子に対応づけて格納する。なお、圧縮画像格納部３００は、半導体記録媒体を用いたフラッシュメモリ等の半導体メモリであってよく、同一の容量を読み出すために要する消費電力が原画像格納部２００よりも小さくてよい。そして、圧縮画像格納部３００は、操作部３２０から受け取る情報に基づいて、圧縮した圧縮画像および圧縮した圧縮動画像を、表示制御部２３０に供給する。
【００２５】
また、圧縮画像格納部３００は、入力インターフェイス２４０から受け取った原画像をいったん保存して、その後に複数の原画像をまとめて原画像格納部２００に移動させてもよい。そして、圧縮画像格納部３００は、圧縮画像格納部３００の空き容量が、予め定められた基準値を下回った場合に、複数の原画像をまとめて原画像格納部２００に移動させてもよい。これにより、表示装置１０が原画像および原動画像を受け取るごとに、原画像格納部２００を稼動させて原画像および原動画像を格納する場合よりも、原画像格納部２００を起動、駆動、及び停止させる回数が少ないので、表示装置１０の消費電力を大幅に節約できる。
【００２６】
更に、圧縮画像格納部３００は、表示装置１０に外部から電力が供給されている場合に、原画像を圧縮画像格納部３００から原画像格納部２００に移動させて、圧縮画像格納部３００は圧縮画像だけを保持してもよい。これにより、表示装置１０が備える第１バッテリ４０および第２バッテリ４２が、原画像および原動画像の移動に伴う電力消費に対して使用されないので、表示装置１０が有する第１バッテリ４０および第２バッテリ４２の使用時間をより伸ばすことができる。したがって、ユーザは、表示装置１０において、より長時間、原画像および原動画像を観賞できる。
【００２７】
表示制御部２３０は、原画像格納部２００から受け取った原画像および原動画像を原画像表示部２２０に表示させる。また、表示制御部２３０は、圧縮画像格納部３００から受け取った圧縮画像および圧縮動画像を圧縮画像表示部３１０に表示させる。表示制御部２３０は、操作部３２０から受け取った情報に基づいて、原画像表示部２２０に原画像および原動画像を表示させてもよい。なお、表示制御部２３０は、圧縮画像表示ユニット３０が有していてもよい。更に、表示制御部２３０は、原画像表示ユニット２０および圧縮画像表示ユニット３０の双方が有していてもよい。
【００２８】
また、表示制御部２３０は、第１表示モードとして、原画像格納部２００が格納している原画像を原画像表示部２２０の表示エリアに表示させ、圧縮画像格納部３００が格納している圧縮画像を圧縮画像表示部３１０の表示エリアに表示させる。なお、表示エリアは、原画像表示部２２０および圧縮画像表示部３１０にいて、原画像および圧縮画像を表示する部分であってよい。当該第１表示モードは、原画像表示ユニット２０と圧縮画像表示ユニット３０とが分離した状態での表示モードであってよい。一方、原画像表示ユニット２０と圧縮画像表示ユニット３０とが機械的に接続された状態では、表示制御部２３０は、第２表示モードに切り替えてよい。第２表示モードは、原画像格納部２００が格納している原画像を原画像表示部２２０の表示エリアと圧縮画像表示部３１０の表示エリアとにまたがって表示させるモードであってよい。すなわち、表示制御部２３０は、第１表示モードと第２表示モードとを切り替えて、原画像表示部２２０および圧縮画像表示部３１０を動作させる。
【００２９】
原画像表示部２２０は、原画像格納部２００が格納している原画像を表示する。また、原画像表示部２２０は、原画像格納部２００が格納している原動画像を表示する。更に、原画像表示部２２０は、操作部３２０から受け取った情報に基づいて原画像および原動画像を表示してもよい。なお、原画像表示部２２０は、圧縮画像表示部３１０よりも大きな表示エリアを有していてよく、圧縮画像表示部３１０よりも高解像度であってもよい。
【００３０】
圧縮画像表示部３１０は、原画像表示部２２０が表示している原画像に対応づけられて圧縮画像格納部３００が格納している圧縮画像とは異なる圧縮画像を表示する。また、圧縮画像表示部３１０は、原画像表示部２２０が表示しているチャプターの次のチャプターの原動画像に対応づけられて圧縮画像格納部３００が格納している圧縮動画像とは異なる圧縮動画像を表示する。なお、原画像表示部２２０の表示エリアと圧縮画像表示部３１０の表示エリアとは隣接して設けられていてよい。これにより、原画像表示ユニット２０と圧縮画像表示ユニット３０とが機械的に接続され、第２表示モードに切り替えられた場合に、原画像表示部２２０と圧縮画像表示部３１０とを合わせて一つの表示部として使用できる。
【００３１】
操作部３２０は、圧縮画像表示部３１０が表示している圧縮画像を閲覧しているユーザに、原画像表示部２２０が次に表示する原画像を選択させる。また、操作部３２０は、圧縮画像表示部３１０が表示している圧縮動画像を閲覧しているユーザに、原画像表示部２２０が表示しているチャプターの次のチャプターの原動画像を、次に原画像表示部２２０に表示させるか否かを選択させる。そして、操作部３２０は、圧縮画像表示部３１０および圧縮画像格納部３００と共に、原画像格納部２００および原画像表示部２２０から着脱自在であり、無線通信により、ユーザに選択された原画像および原動画像を示す情報を原画像表示部２２０または表示制御部２３０に送信する。また、操作部３２０は、圧縮画像表示部３１０に表示させる圧縮画像を変更する旨の情報を圧縮画像格納部３００に供給する。なお、無線通信は、赤外線等の光通信および電波を用いた通信であってよい。
【００３２】
出力インターフェイス２４２は、原画像格納部２００から受け取った原画像および原動画像を、外部の表示装置に供給する。また、出力インターフェイス２４２は、原画像および原動画像を、インターネット等のネットワークおよびメモリ等を介して外部の表示装置に供給してもよい。これにより、ユーザは、より高解像度のＴＶモニタおよびより大画面のＴＶモニタ等により原画像および原動画を観賞できる。
【００３３】
第１バッテリ４０は、原画像表示ユニット２０が有する、原画像格納部２００、画像圧縮部２１０、原画像表示部２２０、表示制御部２３０、入力インターフェイス２４０、および出力インターフェイス２４２に動作電力を供給する。また、第２バッテリ４２は、圧縮画像表示ユニット３０が有する、圧縮画像格納部３００、圧縮画像表示部３１０、および操作部３２０に動作電力を供給する。
【００３４】
本実施形態に係る表示装置１０によれば、原画像から圧縮画像を生成して、ユーザは圧縮画像表示ユニット３０において次に表示させたいと欲する原画像に対応する圧縮画像を選択できる。また、表示装置１０は、次に表示させたいと欲する原動画像に対応する圧縮動画像を選択することもできる。これにより、ユーザは、原画像表示ユニット２０が圧縮画像表示ユニット３０と分離した場合でも、圧縮画像および圧縮動画像を参照しながら次に原画像表示部２２０に表示させる原画像および原動画像を自由に選択して表示できる。
【００３５】
図３は、本実施形態に係る表示装置１０の表示モードの概要を示す。表示装置１０において、原画像表示ユニット２０と圧縮画像表示ユニット３０とが分離している場合には、表示制御部２３０は、原画像表示部２２０および圧縮画像表示部３１０の動作を第１表示モード５００に切り替える。例えば、第１表示モード５００においては、原画像表示部２２０は、ユーザが観賞を欲する原画像を表示する。その一方で、圧縮画像表示部３１０は、次に原画像表示部２２０に表示させる原画像の圧縮画像を表示する。ユーザは、操作部３２０を操作することにより、原画像表示部２２０に次に表示する原画像に対応する圧縮画像を、圧縮画像表示部３１０で参照して選択する。ユーザが選択した圧縮画像に対応する原画像を示す情報は、原画像表示ユニット２０に送信されて、原画像表示ユニット２０は当該情報に基づいて原画像を表示する。
【００３６】
一方、原画像表示ユニット２０および圧縮画像表示ユニット３０が機械的に接続されている場合には、表示制御部２３０は、原画像表示部２２０および圧縮画像表示部３１０の動作を第２表示モード５１０に切り替える。例えば、第２表示モード５１０においては、原画像格納部２００が格納している原画像を原画像表示部２２０の表示エリアと圧縮画像表示部３１０の表示エリアとにまたがって表示させる。原画像表示部２２０の表示エリアと圧縮画像表示部３１０の表示エリアとは隣接して設けられているので、ユーザは、原画像を原画像表示部２２０で鑑賞した場合よりも大きな画面で観賞できる。
【００３７】
本実施形態に係る表示装置１０によれば、原画像表示ユニット２０と圧縮画像表示ユニット３０とが機械的に接続されているか否かによって、原画像表示部２２０および圧縮画像表示部３１０の表示モードを切り替えることができる。これにより、ユーザは、圧縮画像表示ユニット３０が分離されている場合には、圧縮画像表示ユニット３０を、原画像表示ユニット２０に表示させる原画像を選択する、いわばリモコンとして機能させることができる。したがって、ユーザは、圧縮画像表示ユニット３０を操作することにより、観賞を欲する原画像および原動画像を自由自在に選択して表示できる。
【００３８】
また、本実施形態に係る表示装置１０によれば、原画像表示ユニット２０と圧縮画像表示ユニット３０とが機械的に接続されている場合には、原画像表示部２２０と圧縮画像表示部３１０とを合わせて、擬似的な一つの表示部として使用できる。これにより、ユーザは、より大きな表示部において原画像および原動画像を観賞できるので、ユーザの満足度を向上させることができる。
【００３９】
図４は、本実施形態に係る表示装置１０における処理の流れの一例を示す。まず、入力インターフェイス２４０を介して原画像および原動画像が圧縮画像格納部３００に格納される（Ｓ１０００）。そして、圧縮画像格納部３００の空き容量が予め定められた基準値を下回ったか否かを、圧縮画像格納部３００は判断する（Ｓ１０１０）。圧縮画像格納部３００が、圧縮画像格納部３００の空き容量が予め定められた基準値を下回っていないと判断した場合には（Ｓ１０１０：Ｎｏ）、圧縮画像格納部３００は続けて入力インターフェイス２４０を介して、原画像および原動画像を格納する（Ｓ１０００）。
【００４０】
一方、圧縮画像格納部３００が、圧縮画像格納部３００の空き容量が予め定められた基準値を下回っていると判断した場合には（Ｓ１０１０：Ｙｅｓ）、表示装置１０は、表示装置１０に外部から電力が供給されているか否かを判断する（Ｓ１０２０）。外部から電力が供給されていないと表示装置１０が判断した場合には（Ｓ１０２０：Ｎｏ）、表示装置１０は処理を終了する。外部から電力が供給されていると表示装置１０が判断した場合には（Ｓ１０２０：Ｙｅｓ）、表示装置１０はその旨を示す情報を圧縮画像格納部３００に供給する。そして、圧縮画像格納部３００は、圧縮画像格納部３００に格納されている原画像および原動画像を原画像格納部２００に移動させる。係る場合において、圧縮画像格納部３００は予め定められた原画像の枚数、または予め定められた原画像および原動画像のファイル容量を合計した合計ファイル容量ごとに、原画像および原動画像を原画像格納部２００に移動させてよい。
【００４１】
そして、ユーザは、圧縮画像表示部３１０に表示されている圧縮画像および圧縮動画像を参照しながら、操作部３２０で原画像表示部２２０に次に表示する原画像および原動画像を選択する（Ｓ１０４０）。操作部３２０は、ユーザにより選択された原画像を示す情報、またはユーザにより選択された原動画像を示す情報を原画像表示ユニット２０の表示制御部２３０または原画像表示部２２０に無線通信により送信する（Ｓ１０５０）。原画像を示す情報または原動画像を示す情報を操作部３２０から受け取った原画像表示部２２０は、当該情報に対応する原画像および原動画像を原画像表示部２２０に表示する（Ｓ１０６０）。
【００４２】
図５は、本実施形態に係る表示装置１０のハードウェア構成の一例を示す。本実施形態に係る表示装置１０は、ホスト・コントローラ１５８２により相互に接続されるＣＰＵ１５０５、ＲＡＭ１５２０、グラフィック・コントローラ１５７５、および表示装置１５８０を有するＣＰＵ周辺部と、入出力コントローラ１５８４によりホスト・コントローラ１５８２に接続される通信インターフェイス１５３０、ハードディスクドライブ１５４０、およびＣＤ−ＲＯＭドライブ１５６０を有する入出力部と、入出力コントローラ１５８４に接続されるＲＯＭ１５１０、フレキシブルディスク・ドライブ１５５０、および入出力チップ１５７０を有するレガシー入出力部とを備える。
【００４３】
ホスト・コントローラ１５８２は、ＲＡＭ１５２０と、高い転送レートでＲＡＭ１５２０をアクセスするＣＰＵ１５０５およびグラフィック・コントローラ１５７５とを接続する。ＣＰＵ１５０５は、ＲＯＭ１５１０およびＲＡＭ１５２０に格納されたプログラムに基づいて動作して、各部を制御する。グラフィック・コントローラ１５７５は、ＣＰＵ１５０５等がＲＡＭ１５２０内に設けたフレーム・バッファ上に生成する画像データを取得して、表示装置１５８０上に表示させる。これに代えて、グラフィック・コントローラ１５７５は、ＣＰＵ１５０５等が生成する画像データを格納するフレーム・バッファを、内部に含んでもよい。
【００４４】
入出力コントローラ１５８４は、ホスト・コントローラ１５８２と、比較的高速な入出力装置である通信インターフェイス１５３０、ハードディスクドライブ１５４０、ＣＤ−ＲＯＭドライブ１５６０を接続する。通信インターフェイス１５３０は、ネットワーク等を介して他の装置と通信する。ハードディスクドライブ１５４０は、表示装置１０内のＣＰＵ１５０５が使用するプログラムおよびデータを格納する。ＣＤ−ＲＯＭドライブ１５６０は、ＣＤ−ＲＯＭ１５９５からプログラム又はデータを読み取り、ＲＡＭ１５２０を介してハードディスクドライブ１５４０に提供する。
【００４５】
また、入出力コントローラ１５８４には、ＲＯＭ１５１０と、フレキシブルディスク・ドライブ１５５０、および入出力チップ１５７０の比較的低速な入出力装置とが接続される。ＲＯＭ１５１０は、表示装置１０が起動時に実行するブート・プログラム、表示装置１０のハードウェアに依存するプログラム等を格納する。フレキシブルディスク・ドライブ１５５０は、フレキシブルディスク１５９０からプログラム又はデータを読み取り、ＲＡＭ１５２０を介してハードディスクドライブ１５４０に提供する。入出力チップ１５７０は、フレキシブルディスク・ドライブ１５５０、例えばパラレル・ポート、シリアル・ポート、キーボード・ポート、マウス・ポート等を介して各種の入出力装置を接続する。
【００４６】
ＲＡＭ１５２０を介してハードディスクドライブ１５４０に提供される表示プログラムは、フレキシブルディスク１５９０、ＣＤ−ＲＯＭ１５９５、又はＩＣカード等の記録媒体に格納されて利用者によって提供される。表示プログラムは、記録媒体から読み出され、ＲＡＭ１５２０を介して表示装置１０内のハードディスクドライブ１５４０にインストールされ、ＣＰＵ１５０５において実行される。表示装置１０にインストールされて実行される表示プログラムは、ＣＰＵ１５０５等に働きかけて、第１バッテリ４０、第２バッテリ４２、原画像格納部２００、画像圧縮部２１０、原画像表示部２２０、表示制御部２３０、入力インターフェイス２４０、出力インターフェイス２４２、圧縮画像格納部３００、圧縮画像表示部３１０、および操作部３２０を、図１から図４にかけて説明した表示装置１０として機能させる。
【００４７】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００４８】
【図１】表示装置１０の概念図である。
【図２】表示装置１０の機能構成を示すブロック図である。
【図３】表示装置１０の表示モードの概念図である。
【図４】表示装置１０における処理の流れを示すフローチャートである。
【図５】表示装置１０のハードウェア構成を示すブロック図である。
【符号の説明】
【００４９】
１０  表示装置
２０  原画像表示ユニット
３０  圧縮画像表示ユニット
４０  第１バッテリ
４２  第２バッテリ
２００  原画像格納部
２１０  画像圧縮部
２２０  原画像表示部
２３０  表示制御部
２４０  入力インターフェイス
２４２  出力インターフェイス
３００  圧縮画像格納部
３１０  圧縮画像表示部
３２０  操作部
５００  第１表示モード
５１０  第２表示モード
９００、９１０  ユーザ
１５０５  ＣＰＵ
１５１０  ＲＯＭ
１５２０  ＲＡＭ
１５３０  通信インターフェイス
１５４０  ハードディスクドライブ
１５５０  フレキシブルディスク・ドライブ
１５６０  ＣＤ−ＲＯＭドライブ
１５７０  入出力チップ
１５７５  グラフィック・コントローラ
１５８０  表示装置
１５８２  ホスト・コントローラ
１５８４  入出力コントローラ
１５９０  フレキシブルディスク
１５９５  ＣＤ−ＲＯＭ
【図１】
2007052191.tif 000003
【図２】
2007052191.tif 000004
【図３】
2007052191.tif 000005
【図４】
2007052191.tif 000006
【図５】
2007052191.tif 000007